(57)【要約】      （修正有）【課題】建物の開口部に設けた扉が地震・建物の不等沈下・経年変形等によって扉の開口部の躯体・扉外枠が変形・変位して扉本体が扉外枠に密着するように嵌合できず、隙間が発生した場合に、扉の全面的な改造をせずに部分的な安価で迅速な改修で扉本体が新しい外側枠体に密着して、扉ロック及び隙間なく雨水・風・昆虫・蚊の侵入を防ぎ、又騒音を遮音できる扉取付構造を提供する。【解決手段】変形・変位した扉本体を開口の外枠２から取り外し、小さな扉本体３を調整丁番４ａ〜４ｃで取付けるとともに、扉本体３と外枠２との間隙を閉鎖できるように外枠２に固定付枠部材６ａとこれに摺動できる可動付枠部材６ｂとを適切な摺動位置にネジ６ｎとねじ軸６ｃとで取付けて、扉本体３が固定付枠部材６ａ又は外枠２とパッキン材７で密着状に当るようにする。【選択図】図３
0003211384.tif 000002
【実用新案登録請求の範囲】
【請求項１】
建物の玄関口又は室内出入口の開口縁に沿って金属製外枠を固設し、同外枠の一つの縦辺部材に扉本体の取付位置が開口の出入方向に調整できる調整丁番をネジで取付け、同調整丁番で前記扉本体を開閉可能に取付けるとともに、前記扉本体の形状寸法を前記外枠の内側開口を閉鎖する形状寸法より小さな形状寸法のものとし、前記外枠と閉じた位置にある前記扉本体との間隙を閉鎖する付枠をネジを用いて外枠に取付け、前記付枠又は外枠の室外側に向って露出した部分と閉じた扉本体との当り面に弾性パッキン材を止着した外枠の変形に対応容易な建物の扉取付構造。
【請求項２】
前記外枠が建物の前記開口縁を閉鎖できる形状寸法の大型扉本体を開閉自在に丁番で取付けていた扉の既設の外枠であり、前記大型扉本体とその丁番とを既設の外枠から取り外した状態にして、同既設の外枠に設けていたその丁番のねじ孔をそのまま使用して前記調整丁番をネジで取付けて前記小さい扉本体を開閉自在に取付け、外枠に前記付枠を取付けて弾性パッキン材を止着したものである、請求項１記載の建物の扉取付構造。
【請求項３】
縦及び上辺の外枠に内側に向けて張り出したアングル材を取付け、同アングル材の張り出し部の所要位置に付枠をネジで取付けて付枠を外枠に取付ける構造である、請求項１記載の建物の扉取付構造。
【請求項４】
縦及び上辺の外枠に内側に向けて張り出したアングル材を取付け、同アングル材の張り出し部の所要位置に付枠をネジで取付けて付枠を外枠に取付ける構造である、請求項２記載の建物の扉取付構造。
【請求項５】
前記付枠が外枠にネジで固着される固定付枠部材と，同固定付枠部材に対し左右又は上下方向に摺動できる可動付枠部材とからなり、閉鎖位置の前記扉本体の外周端面が上辺及び縦辺の前記可動付枠部材と調整丁番を取付けた外枠の縦部材と外枠の底辺部材と所定間隔離して対向するように所要寸法の左右及び上下方向の摺動位置で可動付枠部材を固定付枠部材にネジで連結し、更に閉鎖位置の前記扉本体の室内側の外周縁部が対向する室外側に臨んだ縦辺及び上辺の前記固定付枠部材並びに外枠の縦部材と外枠の底辺部材と当る位置に弾性パッキン材を取付けた、請求項１又は３記載の建物の扉取付構造。
【請求項６】
前記付枠が外枠にネジで固着される固定付枠部材と，同固定付枠部材に対し左右及び上下方向に摺動できる可動付枠部材とからなり、閉鎖位置の前記扉本体の外周端面が上辺及び縦辺の前記可動付枠部材と調整丁番を取付けた外枠の縦部材と外枠の底辺部材と所定間隔離して対向するように所要寸法の左右及び上下方向の摺動位置で可動付枠部材を固定付枠部材にネジで連結し、更に閉鎖位置の前記扉本体の室内側の外周縁部が対向する室外側に臨んだ縦辺及び上辺の固定付枠部材と外枠の縦部材並びに外枠の底辺部材と当る位置に弾性パッキン材を取付けた、請求項２又は４記載の建物の扉取付構造。
【請求項７】
扉本体が鋼製であり、前記弾性パッキン材の当り面に磁石を取付け、弾性パッキン材の当り面が扉本体の外周縁と当接したときに弾性パッキン材の当り面の磁石で扉本体外周縁面と磁力吸着して防水・防音・防虫及び防風の効果を高めた、請求項１〜６いずれか記載の建物の扉取付構造。
【考案の詳細な説明】
【技術分野】
【０００１】
本考案は、マンション・ビル・アパート等のコンクリート建築物又は鉄骨建築物の建物における出入口の扉・玄関口の扉の扉取付構造に関する。地震・建物の経年劣化又は不等沈下等によって建物の扉の外枠、開口の躯体が変形・変位して扉本体が外枠と密着するように閉じることができず、外枠と扉本体との間に隙間が発生すると、扉本体の施鎖ロックができなくなったり、又はその隙間から雨水・風・昆虫・蚊・空気流の室内の進入が生じ、又は騒音が外へ洩れることも生じる。これらの状況に対し、これらの状況を解消が容易にできる建物の扉の取付構造を提供する。又は、変形・変位した外枠に新しい気密性があってロックできる扉本体を迅速に取付けられる改修工事が容易な扉の取付構造に関する。
【背景技術】
【０００２】
近年、マンション・ビル・アパートのコンクリート建物が地震の横揺れ・縦揺れの震動を受けて、又は施工不良・不等沈下又は建物の経年劣化によって扉の外枠が変形・変位して扉本体が外枠に密着するように嵌合できず、扉本体が少し外枠から離れた状態となり、そのため錠付の鎖・ワイヤ・ドアセーフガード金具等で扉本体を閉鎖し、他人の無断出入を防いでいた。しかし、雨水・風・気流・騒音・昆虫・蚊はその隙間から進入・洩出するもので、これらを防ぐことが難しいものであった。
【０００３】
図１０（ａ），（ｂ），（ｃ）に地震で変形・変位した扉の外枠と扉本体の状態を示している。建築基準法施行令第８２条２項の規定によると、地震力によって各階に生じる水平方向の層間変形角が１／１２０以内である必要があり、この状態でもドアは開閉できなければならないとされている。
【先行技術文献】
【特許文献】
【０００４】
【特許文献１】特開２００８−０６９５３４号公報
【特許文献２】登録意匠第１５６３５４２号公報
【０００５】
従来の耐震用ドアとして、特許文献１に示される構造のものが知られている。この耐震用ドアは、地震等によるドア部分の変形や歪が生じてもドア封止状態が生じないように回避する技術である。その技術は、建物躯体に支持されるドア枠３と、ドア枠３に枢支されるドア１と、ドア枠３とドア１とに跨り構成される耐震装置Ｆとを有する耐震用ドアにおいて、耐震装置Ｆは、ドア１におけるドア軸心の反対側のドア側面１ａと、ドア側面１ａに臨み、かつ、上下向き軸心Ｘ回りに回転自在にドア枠３に支承されるローラ５５を有するローラ機構Ｒとから成り、ローラ機構Ｒを、ローラ５５の外周面５５ａとドア側面１ａとの間に僅かな間隙ｋが存在するように設けることにより構成されている。
しかし、この特許文献１の発明では弱い震度であればローラ機構Ｒによって耐震性を向上させられても、強い地震では扉の躯体に支持されているドア枠３及び躯体自体が大きく変形・変位する場合は、ドア１・ローラ機構Ｒともに変形・破損してしまい、ドア枠３・ドア枠１・ローラ機構Ｒを撤去して変形・変位に応じて新しいドアを現場で製作しなくてはならないものと判断される。
【０００６】
又、本考案者は扉の外枠に丁着する扉本体の閉鎖位置を出入する方向で調整できる丁番を開発し、特許文献２の通り意匠登録した。この新しい丁番を使用することで、地震等で出入方向に変形・変位した外枠をそのままにして少し小さい扉本体を容易に開閉自在に取付けられることの知見を得た。
【考案の概要】
【考案が解決しようとする課題】
【０００７】
本考案が解決しようとする課題は、強い震度の地震又は長期間群発する中程度の地震によって、建物の開口部及びそれに取付けた外枠が変形・変位を生じてもやや小さくなるが、新しい扉本体を迅速に取付けられ、生活の支障がないようにすることにある。又、既設の扉の外枠が変形・変位しても既設の外枠に新しい扉本体を迅速に取付けて、新しい扉本体を施錠可能に開閉でき、しかも防水・防風・防虫・防蚊の進入がなく、騒音も遮断できる新しい扉に改修できる扉の取付構造を提供することにある。
【課題を解決するための手段】
【０００８】
かかる課題を解決した本考案の構成は、
１）  建物の玄関口又は室内出入口の開口縁に沿って金属製外枠を固設し、同外枠の一つの縦辺部材に扉本体の取付位置が開口の出入方向に調整できる調整丁番をネジで取付け、同調整丁番で前記扉本体を開閉可能に取付けるとともに、前記扉本体の形状寸法を前記外枠の内側開口を閉鎖する形状寸法より小さな形状寸法のものとし、前記外枠と閉じた位置にある前記扉本体との間隙を閉鎖する付枠をネジを用いて外枠に取付け、前記付枠又は外枠の室外側に向って露出した部分と閉じた扉本体との当り面に弾性パッキン材を止着した外枠の変形に対応容易な建物の扉取付構造
２）  前記外枠が建物の前記開口縁を閉鎖できる形状寸法の大型扉本体を開閉自在に丁番で取付けていた扉の既設の外枠であり、前記大型扉本体とその丁番とを既設の外枠から取り外した状態にして、同既設の外枠に設けていたその丁番のねじ孔をそのまま使用して前記調整丁番をネジで取付けて前記小さい扉本体を開閉自在に取付け、外枠に前記付枠を取付けて弾性パッキン材を止着したものである、前記１）記載の建物の扉取付構造
３）  縦及び上辺の外枠に内側に向けて張り出したアングル材を取付け、同アングル材の張り出し部の所要位置に付枠をネジで取付けて付枠を外枠に取付ける構造である、前記１）記載の建物の扉取付構造
４）  縦及び上辺の外枠に内側に向けて張り出したアングル材を取付け、同アングル材の張り出し部の所要位置に付枠をネジで取付けて付枠を外枠に取付ける構造である、前記２）記載の建物の扉取付構造
５）  前記付枠が外枠にネジで固着される固定付枠部材と，同固定付枠部材に対し左右又は上下方向に摺動できる可動付枠部材とからなり、閉鎖位置の前記扉本体の外周端面が上辺及び縦辺の前記可動付枠部材と調整丁番を取付けた外枠の縦部材と外枠の底辺部材と所定間隔離して対向するように所要寸法の左右及び上下方向の摺動位置で可動付枠部材を固定付枠部材にネジで連結し、更に閉鎖位置の前記扉本体の室内側の外周縁部が対向する室外側に臨んだ縦辺及び上辺の前記固定付枠部材並びに外枠の縦部材と外枠の底辺部材と当る位置に弾性パッキン材を取付けた、前記１）又は３）記載の建物の扉取付構造
６）  前記付枠が外枠にネジで固着される固定付枠部材と，同固定付枠部材に対し左右及び上下方向に摺動できる可動付枠部材とからなり、閉鎖位置の前記扉本体の外周端面が上辺及び縦辺の前記可動付枠部材と調整丁番を取付けた外枠の縦部材と外枠の底辺部材と所定間隔離して対向するように所要寸法の左右及び上下方向の摺動位置で可動付枠部材を固定付枠部材にネジで連結し、更に閉鎖位置の前記扉本体の室内側の外周縁部が対向する室外側に臨んだ縦辺及び上辺の固定付枠部材と外枠の縦部材並びに外枠の底辺部材と当る位置に弾性パッキン材を取付けた、前記２）又は４）記載の建物の扉取付構造
７）  扉本体が鋼製であり、前記弾性パッキン材の当り面に磁石を取付け、弾性パッキン材の当り面が扉本体の外周縁と当接したときに弾性パッキン材の当り面の磁石で扉本体外周縁面と磁力吸着して防水・防音・防虫及び防風の効果を高めた、前記１）〜６）いずれか記載の建物の扉取付構造
にある。
【考案の効果】
【０００９】
本考案は、既設の扉の改修構造として特に有用となる。既設の扉が地震による建物の揺れ・不等沈下等の原因で、建物の開口の扉の外枠又は開口の躯体壁が変形・変位を受けると、それまで取付けていた扉本体が変形した外枠に嵌合できず、変形した外枠と閉じた位置の扉本体との間に隙間が生じ、扉のロックができず治安上の問題が生じる。又、雨水・風・昆虫等の進入を防ぐことが出来ない状況になる。
【００１０】
この状況に到った場合、まず今まで取付けていた本来の開口の大きい扉本体とその丁番を外枠の縦枠部材から取り外して撤去する。次に、外枠の変形・変位に応じて変形した外枠の内形状に収まる小型化した扉本体を調整丁番を用いて、変形した外枠に出入方向に閉鎖位置を調整して開閉自在に取付ける。調整丁番で出入方向の位置を調整できることで、外枠の出入方向の変形に対して対応性を良好にする。
【００１１】
次に、変形・変位した外枠に新しく取付けた小型化した扉本体の閉じた位置で、丁番のない縦外枠に取付ける縦固定付枠部材のパッキン材と扉本体の室外面の縦外周部とが当るように内側に張り出す縦固定付枠部材の取付位置を決定し、又上辺外枠に取付ける上辺固定付枠部のパッキン材が扉本体の室内面の上辺外周部と当るように上辺固定付枠部材の取付位置を決定し、丁番がある縦外枠と下辺外枠は既設の縦外枠と下辺外枠とそれらに取付けられたパッキン材と扉本体が当るようにする。
【００１２】
上記の取付位置に縦固定付枠・上辺固定付枠を外枠にネジ止めする。取付位置にネジ孔がなければ、固定付枠部材と外枠とを貫通するネジ切りのタップによってネジ孔を形成してネジで連結する。外枠が変形・変位していれば固定付枠部材は鉛直・水平にならず、これに対して斜めになる。そして、固定付枠部材同士及び固定付枠と外枠との重なり部分がないように部材端部は整形してロ字状になるように接合する。
【００１３】
固定付枠を外枠に取付けた後に、可動付枠部材をその可動付枠と扉本体の外周端面との間に８ｍｍ程の所要のクリアランス間隔を確保するような摺動位置で可動付枠部材を固定付枠部材にネジで連結する。これもネジ孔を複数位置に設けて好ましいネジ孔にネジで連結してもよいし、又は好ましい位置で固定付枠部材と可動付枠部材の重なり部分にネジ孔をタップで形成して、そのネジ孔にネジで連結してもよい。
上記、クリアランス間隔を設けることで扉本体を円滑に開閉できるようになる。
【００１４】
既設の外枠と既設の大型扉本体は規格化されているので、これらに適合する固定付枠部材と可動付枠の寸法は複数の寸法のものを用意しておけば迅速に寸法調整少なくできて好ましい。
【００１５】
特に、外枠に内側に向って張り出したアングル材を取付け、その張り出し部に付枠（固定付枠）を取付けるものでは、このアングル材と付枠との取付位置によっても付枠の外枠からの張り出し寸法が自在に調整できるので好ましい。
【００１６】
又、パッキン材の当り面となる部位に磁石を取付けていれば、鋼製の扉本体と当り面の磁石力で吸着力を増加でき、風圧によるパッキン材に隙間を生じてもこれをパッキン材の弾性力と磁力でもって確実に閉鎖するように働いて気密性を良好にできる。
【００１７】
又、扉本体と付枠との水平方向（左右方向）の微調整は、調整丁番によって行える。特に、パッキン材と扉本体の当り面の調整を扉本体の水平スライドで微調整でも調整可能となる。
【図面の簡単な説明】
【００１８】
【図１】図１は従来の扉の外枠と扉本体の構造を示す平面図である。
【図２】図２は従来の扉の外枠が８ｍｍ程内側に変位した状態の扉の形状を示す説明図である。
【図３】図３は実施例の既設の変形した外枠に付枠と新しい小型の扉本体を取付けた扉閉状態の平面図である。
【図４】図４は実施例の扉閉状態の上下の気密状態を示す説明図である。
【図５】図５は実施例の調整丁番の取付状態を示す説明図である。
【図６】図６は実施例で用いた調整丁番を示す正面図である。
【図７】図７は実施例で用いた調整丁番の背面図である。
【図８】図８は図６のＢ−Ｂ断面図である。
【図９】図９は実施例の磁石付パッキン材の側面図である。
【図１０】図１０は扉の外枠の変形例を示す説明図である。
【図１１】図１１は本考案の新設の扉の構造例を示す横断面図である。
【考案を実施するための形態】
【００１９】
本考案の可動付枠部材を所定摺動位置で固定付枠部材にネジで取付ける方法として、可動付枠部材を固定付枠部材と所要の摺動位置にして、可動付枠部材と固定付枠部材とが重なった所定位置にネジ孔をタップで穿孔してネジ止めする方法、又は可動付枠部材と固定付枠部材に上下・左右の複数の位置にネジ孔を穿孔し、ネジ孔が連通する位置を複数個所設けて連結位置を調整できるようにする方法もある。又は、平行な両部材間に長いねじ軸を螺合して、ねじ軸の回転で両部材間の距離を調整する方法もある。
【００２０】
本考案は既設の扉の外枠・開口躯体が変形・変位した場合に、より小さな扉本体を既設の変形した外枠に取付けるように改修という形で本考案の構造としてもよいし、又は建物の建造時から扉構造として本考案の扉構造のものにしてもよい。
この新築時からの扉構造にしていれば外枠が変形・変位しても、新しい位置で付枠を取付け直せば変形・変位の迅速な対応ができる。
尚、外枠の変形・変位が小さい場合で既設の扉本体Ｄが使用できれば、新しい小さな扉本体に交替せずに既設の扉本体Ｄをこれを取付けた通常の丁番を取り外して調整丁番で既設の扉本体Ｄを外枠に取付け直し、変形・変位した外枠に適切な付枠（固定付枠部材,可動付枠部材）を取付けてもよい。これも本考案の一形態である。
【００２１】
本考案の扉本体の閉じた位置を開口の出入方向に調整できる調整丁番としては本考案者が開発した登録第１５６３５４２号意匠の構造のものが使用できる。又、本考案はこの構造のものに限定するものではない。
次に、本考案の扉の当り面に磁石を取付けたパッキン材としてはやはり本考案者が開発した実用新案登録第３１９７８８３号の扉の隙間閉鎖構造のパッキン材が使用できる。本考案はこれ以外の構造のパッキン材も使用可能である。
【実施例】
【００２２】
以下、本考案を図１〜９に示すマンションの室の玄関の扉の例で鋼製扉での実施例と図１１に示す本考案の他の構造例を図面に基づいて説明する。
【００２３】
図中、１はコンクリートマンションの玄関の外枠間の本来の開口、２は同開口に取付けた外枠、２ａは従来の通常の丁番２ｆを取付けた縦右外枠、２ｂは同縦右外枠と対向する扉本体３の自由端側と対向する縦左外枠、２ｃは上辺外枠、２ｄは下辺外枠、２ｆは従来の丁番、２ｇはパッキン材、３は外側は鋼製で内部にロックウールを充填した扉本体、４は同扉本体を縦右外枠２ａに丁着する調整丁番、４ａ，４ｂは丁番板、４ｃは枢軸、４ｄは枢軸４ｃに装入されて上下の丁番板４ａ（４ｂ）の間の間隔寸法の調整可能なカラー、４ｅは扉本体３を取付ける丁番板４ｂに設けた円状開口、４ｆは同円状開口で嵌合する円盤、４ｆ１は同円盤の中心から偏心した位置に設けた開口のネジ孔であり、円盤４ｆのネジ孔４ｆ１の偏心長さが違うものを使用することで出入方向に扉本体３の出入方向の位置を微調整できるようにしている。４ｇは丁番板４ａの通常のネジ孔、４ｈは丁番板４ｂが水平にスライドして止められるようにした長孔状のネジ孔である。５は外枠２から開口中心方向に張り出して固設されたＬ字状のアングル材、６は付枠で、６ａはアングル材５の所定位置でネジ６ｎで脱着自在に固着された所定寸法の固定付枠部材である。６ｂは同固定付枠に摺動できるように付設させた可動付枠部材で、所定位置がネジ６ｎで取付けられている。６ｃは固定付枠部材６ａと可動付枠部材６ｂとの間に設けたねじ軸の回転で開口中心方向に可動付枠部材６ｂを移動できるようにしたねじ軸、６ｄは同ねじ軸に貫装したスペーサで、間隔を確実に保持させるものである。６ｎはネジ、７は固定付枠部材６ａの凹部に嵌入されたゴム製パッキン材である。及び、既設の縦右外枠２ａ、下辺外枠２ｄの周縁にも付着されている。７ａは同パッキン材７の弾支された当り面に設けた磁石である。図中、扉ののぶ、鍵穴、施錠機構部は省略している。又、１０は開口１の外側の建物のコンクリート躯体、１１は同コンクリート躯体１０の表面に付着させたモルタル、１２は外枠取付板、１３は同外枠取付板に溶着されたコンクリート内のアンカー鋼棒である。
【００２４】
図６，７，８に示す調整丁番について詳しく説明する。
調整丁番４は、住居建築物の玄関の扉・室の出入扉・回転式開閉及び回転式戸棚又は物品収納室の扉を回転自在にその外枠に取付けるための物品である。調整丁番４の素材は全て金属製である。本調整丁番４の枢軸４ｃの上下にある左の各丁番板４ａには、縦右外枠２ａと連結するための５本のネジ孔４ｇを設けている。右側の丁番板４ｂには、水平な長孔状のネジ孔４ｈが４個設けられ、その中間に丁番板４ｂに円状開口４ｅを設け、同開口に偏心ネジ孔４ｆ１を設けた円盤４ｆを前記開口４ｅに嵌合している。この上の丁番板４ｂの長孔のネジ孔４ｈの貫通位置及び円盤４ｆの偏心ネジ孔４ｆ１の偏心寸法で、左右水平方向（閉じた時の出入方向）に偏心寸法だけ取付位置を変更できるようにしている。一方、丁番板４ａは通常の５個のネジ６ｎ又は皿ボルト用のネジ孔４ｇが５個設けている。本調整丁番４は、長年使用・不等沈下又は地震等で扉枠又は扉が変形している場合、水平左右方向に少し扉本体３の取付位置を移動して、扉の開閉を可能にする丁番である。ネジ孔４ｆ１の偏心寸法が違う同じ外形の円盤４ｆを複数用意して、所要の偏心寸法の円盤４ｆを選択して嵌合して使用する。
【００２５】
本実施例は、コンクリートマンションの一室の玄関口の開口１に取付けた既設の扉が地震でその外枠２が変形・変位した場合の改修で、本考案の構造に改造する例である。図１は正常な大型扉本体Ｄの左端と縦外枠との間に８ｍｍの間隔があり、大型の巾が８００ｍｍを超える扉本体Ｄは開閉自在であり、施錠できるものであった。
【００２６】
図１に示す既設の扉は、外枠２の開口巾は８００ｍｍであった所、地震を受けて縦左外枠２ｂが８ｍｍ程右方向に変形・変位した。そのため、既設の８００ｍｍを超える扉本体Ｄの左端は縦左外枠２ｂと密着して開閉ができなくなった。その状態を図２に示している。
【００２７】
まず、図２となった既設の大型の扉本体Ｄを縦右外枠２ａに取付けていた丁番を取り外して扉本体Ｄを除去する。その後、調整丁番４を取付ける。既設の丁番を取付けていた縦右外枠２ａのネジ孔に調整丁番４を取付ける。次に、小型の巾７７６ｍｍの新しい短い扉本体３の右端面に調整丁番４の右の丁番板４ｂをネジで取付ける。丁番板４ｂのネジ孔４ｈは長孔状で、又円状開口４ｅに円盤４ｆを嵌合させ、円盤４ｆのネジ孔４ｆ１の偏心取付位置を決めてネジ孔４ｆ１にネジ６ｎを螺合して、又丁番板４ｂの長孔のネジ孔４ｈにネジ６ｎを螺合して扉本体３を開閉自在に取付ける。
【００２８】
次に、変形・変位した外枠２の縦左外枠２ｂにＬ字状アングル材５をネジで固着する。このアングル材５に内側に３４ｍｍ張り出した己字状に折曲した固定付枠部材６ａを所定張り出し寸法でネジ６ｎでネジ止めする。この固定付枠６の下方のコ字状の折曲部にコ字状の可動付枠部材６ｂを摺動できるように嵌合し、新しい扉本体３の左外周端と約８ｍｍ程の間隔をあける位置にネジ６ｎで連結する。
【００２９】
同様に、図４に示すように上辺外枠２ｃにもＬ字状のアングル材５を固着し、このアングル材５に大略断面己字状の固定付枠部材６ａをネジ６ｎで取付け、同固定付枠部材６ａのコ字状の折曲部にコ字状の可動付枠部材６ｂを嵌合し、ネジ６ｎで取付ける。この可動付枠部材６ｂの下面と扉本体３の外周上端面とには３ｍｍ程の間隙があるようにしている。扉本体３の下辺周端面と既設の外枠２の下辺外枠２ｄとは既設と同じ６ｍｍの間隙が保持されている。
【００３０】
そして、左縦固定付枠部材６ａのコ字状の折曲部及び上辺固定付枠部材６ａのコ字状の折曲部，既設の下辺外枠２ｄの折曲部，縦右外枠２ａのコ字状折曲部それぞれに図９に示すゴム製パッキン材が嵌入されている。そして、そのパッキン材７の当り面には磁石７ａが取付けられている。
【００３１】
このように寸法・形状の構造に改造することで、扉本体３は縦左固定付枠部材６ａと上辺固定付枠部材６ａと、既設の縦右外枠２ａと下辺外枠２ｄに取付けたパッキン材７と当って閉じることができる。又、扉本体３の左外周端と縦可動付枠部材６ｂとの間に８ｍｍ程の間隙ができ、円滑に開閉できるようになっている。
又、出入方向の扉本体３の取付位置の調整は、調整丁番４の偏心ネジ孔４ｆ１の偏心寸法が違う円盤４ｆを円状開口４ｅに嵌合することで微調整できるようになっている。
以上の様に、外枠２にアングル材５を取付け、このアングル材５の所定位置に付枠６の固定付枠部材６ａをネジ止めし、更にこの固定付枠部材６ａの所定摺動位置で可動付枠部材６ｂをネジ６ｎ又はねじ軸６ｃで止めることができることで、パッキン材７を取付ける固定付枠部材６ａの開口中心に向けての張り出し量を適切にして、更に扉本体３との閉じたときのパッキン材７と良好な当り・気密性・騒音の洩れ及び扉開閉音を少なくする。
【００３２】
更に、この固定付枠部材６ａにねじ軸６ｃの回転で間隔調整することで、可動付枠部材６ｂと扉本体３の外周端面との間隙を８ｍｍ程確保できるようにすることができ、扉本体３の開閉を滑らかにし、ドアロック等を確実にできるようにできる。
ねじ軸６ｃにはスペーサ６ｄが挿入され、間隙を確実に確保し、強度も高めている。
【００３３】
本考案の既設の変形・変位した外枠２に小さい扉本体３を開閉自在に取付けて、扉のロックも気密性・騒音性も良好にしている。その状態を図３，図４に示している。
【００３４】
図１１で示す扉構造は本考案の他の構造例を示す図面で、これによって扉本体３を外枠２に取付けることができる。
図１１に示す構造は、本考案の構造に新築の時点から構成させた例であり、この新築の構造で変形・変位があった場合、ねじ軸６ｃを外して、可動付枠部材６ｂを摺動させて、可動付枠部材６ｂと，扉本体Ｄ又は新しい寸法の扉本体３の外周縦端面との間との間隙を所要の寸法確保させた位置として、ねじ軸６ｃに適切な厚みのスペーサ６ｄを挿入してねじ軸６ｃで螺着させることで、扉本体Ｄ又は新しい小さな寸法の扉本体３を円滑に開閉できるとともに、パッキン材７で気密性を保持させることができるものである。新築の時点でこのように所要寸法の固定付枠部材６ａと可動付枠部材６ｂとで組み立てていれば、変形・変位に対して対応処理作業が容易となる。
尚、図１１の新築の構造の場合、符号１２を外枠とし、符号２を固定付枠部材とし、符号の６ａ，６ｂ，６ｃ，６ｄ，６ｎの構造を可動付枠部材と解することができる。又、新設時の扉本体Ｄでも、変形・変位後の短い別の扉本体３としてもよく、変形・変位の寸法に応じた改修を選択できる。
【産業上の利用可能性】
【００３５】
本考案の建物の扉取付構造は、既設の変形した扉の改修構造の他に、建物の新築時の扉構造とすることで外枠の変形に直ちに対応できるものとなっている。
【符号の説明】
【００３６】
１    開口（玄関口）
２    既設の外枠
２ａ    縦右外枠
２ｂ    縦左外枠
２ｃ    上辺外枠
２ｄ    下辺外枠
２ｆ    従来の丁番
２ｇ    パッキン材
３    扉本体
４    調整丁番
４ａ，４ｂ    丁番板
４ｃ    枢軸
４ｄ    カラー
４ｅ    円状開口
４ｆ    円盤
４ｆ１    ネジ孔
４ｇ    ネジ孔
４ｈ    長孔状のネジ孔
５    アングル材
６    付枠
６ａ    固定付枠部材
６ｂ    可動付枠部材
６ｃ    ねじ軸
６ｄ    スペーサ
６ｎ    ネジ
７    パッキン材
７ａ    磁石
１０    コンクリート躯体
１１    モルタル
１２    外枠取付板
１３    アンカー鋼棒
【図１】
0003211384.tif 000003
【図２】
0003211384.tif 000004
【図３】
0003211384.tif 000005
【図４】
0003211384.tif 000006
【図５】
0003211384.tif 000007
【図６】
0003211384.tif 000008
【図７】
0003211384.tif 000009
【図８】
0003211384.tif 000010
【図９】
0003211384.tif 000011
【図１０】
0003211384.tif 000012
【図１１】
0003211384.tif 000013